(57)【特許請求の範囲】
【請求項１】
プレミアムキャンペーンの応募資格を発生させるデータ処理をコンピュータ上で行うキャンペーン情報処理システムであって、
電子決済媒体を使用した商品購入の履歴のデータとして、各電子決済媒体に固有の電子決済ＩＤデータ及び購入商品の商品コードである購入商品コードを含む購入履歴データを記憶する購入履歴データ記憶部と、
対象キャンペーンのキャンペーン対象商品の商品コードであるキャンペーン対象商品コードを記憶するキャンペーン対象商品コード記憶部と、
前記対象キャンペーンのキャンペーン対象者のデータとして、少なくとも各キャンペーン対象者の通信連絡用の連絡先データと各キャンペーン対象者が保有する前記電子決済媒体の前記電子決済ＩＤデータを記憶する対象者データ記憶部と、
前記購入履歴データ記憶部の前記購入履歴データに含まれる前記購入商品コードと前記キャンペーン対象商品コード記憶部の前記キャンペーン対象商品コードとを比較して、前記キャンペーン対象商品コードと一致する前記購入商品コードを含む購入履歴データに含まれる前記電子決済ＩＤデータに対応するキャンペーン応募資格を発生し、前記キャンペーン応募資格データを前記電子決済ＩＤデータと関連付けて前記対象者データ記憶部に登録するキャンペーン応募資格発生登録部と、
前記対象者データ記憶部を参照して、前記キャンペーン応募資格が関連づけて登録されている前記電子決済ＩＤデータを特定し、乱数を用いた抽選を行って、前記キャンペーン応募資格が関連づけられた前記電子決済ＩＤデータから所定の当選者数の前記電子決済ＩＤデータを特定する抽選部と、
前記対象者データ記憶部に抽選結果として、各々の前記電子決済ＩＤデータと関連づけて当選または抽選を記録する抽選結果登録部と、
電子決済ＩＤデータ受付部、当選認証部およびプレミアム付与許可部で構成され、前記抽選部による抽選の当選者に対してプレミアムを電子的に付与する処理を行うプレミアム付与処理部とを備え、
前記電子決済ＩＤデータ受付部は、入場管理コンピュータで前記電子決済媒体から読み取られた前記電子決済ＩＤデータを通信で該入場管理コンピュータから受信して受け付け、
前記当選認証部は、前記電子決済ＩＤデータ受付部が前記電子決済ＩＤデータを受け付けると、前記対象者データ記憶部を参照して認証処理を行う構成であり、受け付けられた前記電子決済ＩＤデータの当選が前記対象者データ記憶部に記録されているか否かを確認し、該当する前記電子決済ＩＤデータが前記対象者データ記憶部に記録されており、かつ、当選が記録されていれば、認証が成功し、
前記プレミアム付与許可部は、前記当選認証部による認証が成功すると、プレミアム付与の許可を前記入場管理コンピュータに送信することを特徴とするキャンペーン情報処理システム。
【請求項２】
前記キャンペーン応募資格発生を通知する応募資格通知メッセージを記憶する応募資格通知メッセージ記憶部と、
前記対象者データ記憶部の前記電子決済ＩＤデータおよび前記連絡先データに基づき、キャンペーン応募資格発生登録部で前記キャンペーン応募資格データが発生した前記電子決済ＩＤデータに対応する前記連絡先データを用いて、前記応募資格通知メッセージを前記キャンペーン対象者に送信する応募資格通知部と、
を備えたことを特徴とする請求項１に記載のキャンペーン情報処理システム。
【請求項３】
前記キャンペーン応募資格発生登録部は、
前記キャンペーン対象商品の購入に応じて付与されるべきキャンペーンポイントを規定したポイント規則を記憶するポイント規則記憶部と、
前記ポイント規則記憶部の前記ポイント規則に従って、前記キャンペーン対象商品コードに一致する前記購入商品コードを含む購入履歴データに含まれる前記電子決済ＩＤデータに対して付与するキャンペーンポイントを決定するポイント決定部と、
前記ポイント決定部により決定されたキャンペーンポイントを前記電子決済ＩＤデータと関連づけて前記対象者データ記憶部に登録するポイント登録部と、
前記対象者データ記憶部に記憶されたキャンペーンポイントが所定の応募資格発生ポイントに達したときにキャンペーン応募資格が発生したと判定する資格発生判定部と、
前記資格発生判定部の判定結果に応じて、前記キャンペーン応募資格が発生した前記電子決済ＩＤデータと関連づけて前記キャンペーン応募資格データを前記対象者データ記憶部に登録する資格登録部と、
を備えたことを特徴とする請求項１に記載のキャンペーン情報処理システム。
【請求項４】
前記対象キャンペーンへの参加申込者が保持する前記電子決済ＩＤデータの入力を受け付けて、前記参加申込者を前記キャンペーン対象者として前記電子決済ＩＤデータを前記対象者データ記憶部に登録するキャンペーン申込登録処理部と、
を含むことを特徴とする請求項１に記載のキャンペーン情報処理システム。
【請求項５】
前記ポイント規則記憶部は、前記ポイント規則として、キャンペーン対象商品と前記キャンペーン対象商品の購入によって付与されるキャンペーンポイントの値を記憶していることを特徴とする請求項３に記載のキャンペーン情報処理システム。
【請求項６】
前記ポイント規則は、前記キャンペーン対象商品の購入数量または購入金額に応じて付与されるキャンペーンポイントの値を規定することを特徴とする請求項５に記載のキャンペーン情報処理システム。
【請求項７】
前記対象者データ記憶部が、前記電子決済ＩＤデータと関連づけて、前記キャンペーン対象者の属性データを記憶しており、
前記ポイント規則記憶部のポイント規則は、前記キャンペーン対象者の属性に応じてキャンペーンポイントの値が異なって設定されており、
前記ポイント決定部は、前記対象者データ記憶部の前記属性データを読み出して、前記属性データに基づいて前記ポイント規則に従って前記キャンペーンポイントを決定することを特徴とする請求項５または６に記載のキャンペーン情報処理システム。
【請求項８】
前記対象者データ記憶部が、前記属性データとして性別データを記憶しており、
前記ポイント規則は、前記キャンペーン対象者の性別に応じてキャンペーンポイントの値が異なって設定されていることを特徴とする請求項７に記載のキャンペーン情報処理システム。
【請求項９】
前記対象者データ記憶部が、前記属性データとして年齢データを記憶しており、
前記ポイント規則は、前記キャンペーン対象者の年齢に応じてキャンペーンポイントの値が異なって設定されていることを特徴とする請求項７または８に記載のキャンペーン情報処理システム。
【請求項１０】
前記ポイント規則記憶部は、前記ポイント規則として、複数の所定のキャンペーン対象商品の組み合わせに対応する組合せキャンペーンポイントを記憶しており、
前記ポイント決定部は、前記ポイント規則に規定される前記複数の所定のキャンペーン対象商品が組み合わせて購入されたときに前記ポイント規則に従って前記組合せキャンペーンポイントの値を求めることを特徴とする請求項５〜９のいずれかに記載のキャンペーン情報処理システム。
【請求項１１】
前記購入履歴データ記憶部は、前記購入履歴データとしてさらに購入日時データを記憶しており、
前記ポイント規則記憶部のポイント規則は、前記キャンペーン対象商品の購入日時に応じてキャンペーンポイントの値が異なって設定されており、
前記ポイント決定部は、前記購入履歴データ記憶部の前記購入履歴データの前記購入日時データを読み出して、前記購入日時データに基づいて前記ポイント規則に従って前記キャンペーンポイントを求めることを特徴とする請求項５〜１０のいずれかに記載のキャンペーン情報処理システム。
【請求項１２】
前記購入履歴データ記憶部は、前記購入履歴データとしてさらに購入場所データを記憶しており、
前記ポイント規則記憶部のポイント規則は、前記キャンペーン対象商品の購入場所に応じてキャンペーンポイントの値が異なって設定されており、 
前記ポイント決定部は、前記購入履歴データ記憶部の前記購入履歴データの前記購入場所データを読み出して、前記購入場所データに基づいて前記ポイント規則に従って前記キャンペーンポイントを求めることを特徴とする請求項５〜１１のいずれかに記載のキャンペーン情報処理システム。
【請求項１３】
プレミアムキャンペーンの応募資格を発生させるデータ処理をコンピュータ上で行うキャンペーン情報処理方法であって、
電子決済媒体を使用した商品購入の履歴のデータとして、各電子決済媒体に固有の電子決済ＩＤデータ及び購入商品の商品コードである購入商品コードを含む購入履歴データを、前記コンピュータの記憶手段で構成される購入履歴データ記憶部が記憶し、
対象キャンペーンのキャンペーン対象商品の商品コードであるキャンペーン対象商品コードを、前記コンピュータの記憶手段で構成されるキャンペーン対象商品コード記憶部が記憶し、
前記対象キャンペーンのキャンペーン対象者のデータとして、少なくとも各キャンペーン対象者の通信連絡用の連絡先データと各キャンペーン対象者が保有する前記電子決済媒体の前記電子決済ＩＤデータを対象者データ記憶部が記憶し、
前記購入履歴データ記憶部の前記購入履歴データに含まれる前記購入商品コードと前記キャンペーン対象商品コード記憶部の前記キャンペーン対象商品コードとを比較して、前記キャンペーン対象商品コードと一致する前記購入商品コードを含む購入履歴データに含まれる前記電子決済ＩＤデータに対応するキャンペーン応募資格を発生し、前記キャンペーン応募資格データを前記電子決済ＩＤデータと関連付けて前記対象者データ記憶部に登録し、
前記対象者データ記憶部を参照して、前記キャンペーン応募資格が関連づけて登録されている前記電子決済ＩＤデータを特定し、乱数を用いた抽選を行って、前記キャンペーン応募資格が関連づけられた前記電子決済ＩＤデータから所定の当選者数の前記電子決済ＩＤデータを特定し、
前記対象者データ記憶部に抽選結果として、各々の前記電子決済ＩＤデータと関連づけて当選または抽選を記録し、
電子決済ＩＤデータ受付部、当選認証部およびプレミアム付与許可部で構成されるプレミアム付与処理部が、前記抽選の当選者に対してプレミアムを電子的に付与する処理を行い、
前記電子決済ＩＤデータ受付部は、入場管理コンピュータで前記電子決済媒体から読み取られた前記電子決済ＩＤデータを通信で該入場管理コンピュータから受信して受け付け、
前記当選認証部は、前記電子決済ＩＤデータ受付部が前記電子決済ＩＤデータを受け付けると、前記対象者データ記憶部を参照して認証処理を行う構成であり、受け付けられた前記電子決済ＩＤデータの当選が前記対象者データ記憶部に記録されているか否かを確認し、該当する前記電子決済ＩＤデータが前記対象者データ記憶部に記録されており、かつ、当選が記録されていれば、認証が成功し、
前記プレミアム付与許可部は、前記当選認証部による認証が成功すると、プレミアム付与の許可を前記入場管理コンピュータに送信することを特徴とするキャンペーン情報処理方法。
【請求項１４】
プレミアムキャンペーンの応募資格を発生させるデータ処理をコンピュータに実行させるキャンペーン情報処理プログラムであって、
電子決済媒体を使用した商品購入の履歴のデータとして、各電子決済媒体に固有の電子決済ＩＤデータ及び購入商品の商品コードである購入商品コードを含む購入履歴データを、前記コンピュータの記憶手段で構成される購入履歴データ記憶部に記憶させ、
対象キャンペーンのキャンペーン対象商品の商品コードであるキャンペーン対象商品コードを、前記コンピュータの記憶手段で構成されるキャンペーン対象商品コード記憶部に記憶させ、
前記対象キャンペーンのキャンペーン対象者のデータとして、少なくとも各キャンペーン対象者の通信連絡用の連絡先データと各キャンペーン対象者が保有する前記電子決済媒体の前記電子決済ＩＤデータを対象者データ記憶部が記憶させ、
前記購入履歴データ記憶部の前記購入履歴データに含まれる前記購入商品コードと前記キャンペーン対象商品コード記憶部の前記キャンペーン対象商品コードとを比較して、前記キャンペーン対象商品コードと一致する前記購入商品コードを含む購入履歴データに含まれる前記電子決済ＩＤデータに対応するキャンペーン応募資格を発生し、前記キャンペーン応募資格データを前記電子決済ＩＤデータと関連付けて前記対象者データ記憶部に登録し、
前記対象者データ記憶部を参照して、前記キャンペーン応募資格が関連づけて登録されている前記電子決済ＩＤデータを特定し、乱数を用いた抽選を行って、前記キャンペーン応募資格が関連づけられた前記電子決済ＩＤデータから所定の当選者数の前記電子決済ＩＤデータを特定し、
前記対象者データ記憶部に抽選結果として、各々の前記電子決済ＩＤデータと関連づけて当選または抽選を記録し、
電子決済ＩＤデータ受付部、当選認証部およびプレミアム付与許可部で構成されるプレミアム付与処理部が、前記抽選の当選者に対してプレミアムを電子的に付与する処理を行い、
前記電子決済ＩＤデータ受付部は、入場管理コンピュータで前記電子決済媒体から読み取られた前記電子決済ＩＤデータを通信で該入場管理コンピュータから受信して受け付け、
前記当選認証部は、前記電子決済ＩＤデータ受付部が前記電子決済ＩＤデータを受け付けると、前記対象者データ記憶部を参照して認証処理を行う構成であり、受け付けられた前記電子決済ＩＤデータの当選が前記対象者データ記憶部に記録されているか否かを確認し、該当する前記電子決済ＩＤデータが前記対象者データ記憶部に記録されており、かつ、当選が記録されていれば、認証が成功し、
前記プレミアム付与許可部は、前記当選認証部による認証が成功すると、プレミアム付与の許可を前記入場管理コンピュータに送信する処理を前記コンピュータに実行させることを特徴とするキャンペーン情報処理プログラム。
【発明の詳細な説明】
【技術分野】
【０００１】
本発明は、プレミアムキャンペーンの応募資格を発生させるデータ処理をコンピュータ上で行うキャンペーン情報処理システムに関し、特に、顧客にとっての利便性を向上でき、さらには、キャンペーン効果を増大できる情報処理システムに関する。
【背景技術】
【０００２】
従来より、商品の販売促進のためにプレミアムキャンペーンが盛んに実施されている。プレミアムキャンペーンは、商品の認知や売上の増大を目的とした販売促進の手法であり、プレミアム（特典）の提供によって販売を促進する。プレミアムキャンペーンは、商品の購入を条件としないオープンタイプと、商品の購入を条件とするクローズドタイプに分けられる。本発明は主としてクローズドタイプのプレミアムキャンペーンに関する。
【０００３】
従来の一般的なプレミアムキャンペーンでは、商品に応募シールが貼られており、この応募シールがハガキに貼られ、ハガキが投函される。これにより、商品を購入した顧客がキャンペーンに応募することができる。
【０００４】
上記のプレミアムキャンペーンでは、ハガキを用意して投函するのに手間がかかる。そこで、より簡単にプレミアムキャンペーンに応募できるようにするために、インターネットを利用したキャンペーン情報処理システムが実用化されている。この種の情報処理システムでは、商品に添付された応募コードナンバーが、携帯電話等に入力されて、インターネット経由で送信されて、これにより、商品を購入した顧客がキャンペーンに応募できる。この種のシステムは例えば特許文献１に開示されている。
【０００５】
また、特許文献２は、小売店のポイントカードとＰＯＳ（Point Of Sales）システムを利用して、メーカ別のキャンペーンを実現するシステムを提案している。このシステムでは、ポイントカードとＰＯＳデータから、購入者と購入商品が特定されて、キャンペーン対象商品の購入者にプレミアムが与えられる。
【特許文献１】特許第３３５６４２２号明細書（第３−６ページ、全図）
【特許文献２】特開２００２−６３４６０号公報（第３−４ページ、図１）
【発明の開示】
【発明が解決しようとする課題】
【０００６】
しかしながら、従来のキャンペーン用の情報処理システムは、購入者が自分で商品購入のたびにいちいち応募コードナンバーを入力してインターネット経由で送信しなくてはならないので、購入者にとって応募作業が面倒であった。また、ポイントカードを利用するシステムは、応募作業の手間を省くことはできるものの、キャンペーンを応募する前提として小売店のポイントカードを作成しなくてはならず、やはり面倒であった。また、ポイントカードの作成に抵抗のある顧客は簡単にキャンペーンに参加できなかった。
【０００７】
また、本発明者が従来のキャンペーン用の情報処理システムを検討したところ、従来システムでは対象商品の購入が単純に応募資格の発生条件になっており、その他の条件は基本的には応募資格に影響しなかった。これに対して、本発明者は、購入がどのような種類の人間により行われたといった購入主体条件や、購入がどのような時間や場所で行われたかといった購入環境条件に応じて応募資格の発生の条件を変えることができれば、戦略的ターゲット顧客への販売を促進したり、戦略的に特定の環境での販売を促進して、キャンペーン効果を高められると考えた。しかし、このような購入条件を加味したキャンペーンは、はがき形式のキャンペーンはもちろんのこと、従来のキャンペーン用の情報処理システムでも実現できていない。
【０００８】
本発明は、上記背景の下でなされたもので、その目的は、キャンペーンの応募作業の手間を削減でき、顧客にとって便利なキャンペーン用の情報処理システムを提供することにある。
【０００９】
本発明の目的は、購入主体や購入環境等の購入条件によって応募資格の発生の条件が変わり、キャンペーン効果を増大できる情報処理システムを提供することにある。
【課題を解決するための手段】
【００１０】
本発明のキャンペーン情報処理システムは、プレミアムキャンペーンの応募資格を発生させるデータ処理をコンピュータ上で行うシステムである。このシステムは、電子決済媒体を使用した商品購入の履歴のデータとして、各電子決済媒体に固有の電子決済ＩＤデータ及び購入商品の商品コードである購入商品コードを含む購入履歴データを記憶する購入履歴データ記憶部と、対象キャンペーンのキャンペーン対象商品の商品コードであるキャンペーン対象商品コードを記憶するキャンペーン対象商品コード記憶部と、前記対象キャンペーンのキャンペーン対象者のデータとして、少なくとも各キャンペーン対象者の通信連絡用の連絡先データと各キャンペーン対象者が保有する前記電子決済媒体の前記電子決済ＩＤデータを記憶する対象者データ記憶部と、前記購入履歴データ記憶部の前記購入履歴データに含まれる前記購入商品コードと前記キャンペーン対象商品コード記憶部の前記キャンペーン対象商品コードとを比較して、前記キャンペーン対象商品コードと一致する前記購入商品コードを含む購入履歴データに含まれる前記電子決済ＩＤデータに対応するキャンペーン応募資格を発生し、前記キャンペーン応募資格データを前記電子決済ＩＤデータと関連付けて前記対象者データ記憶部に登録するキャンペーン応募資格発生登録部と、を備え、前記対象者データ記憶部を参照して、前記キャンペーン応募資格が関連づけて登録されている前記電子決済ＩＤデータを特定し、乱数を用いた抽選を行って、前記キャンペーン応募資格が関連づけられた前記電子決済ＩＤデータから所定の当選者数の前記電子決済ＩＤデータを特定する抽選部と、前記対象者データ記憶部に抽選結果として、各々の前記電子決済ＩＤデータと関連づけて当選または抽選を記録する抽選結果登録部と、電子決済ＩＤデータ受付部、当選認証部およびプレミアム付与許可部で構成され、前記抽選部による抽選の当選者に対して、プレミアムを電子的に付与する処理を行うプレミアム付与処理部とを備え、前記電子決済ＩＤデータ受付部は、入場管理コンピュータで前記電子決済媒体から読み取られた前記電子決済ＩＤデータを通信で該入場管理コンピュータから受信して受け付け、前記当選認証部は、前記電子決済ＩＤデータ受付部が前記電子決済ＩＤデータを受け付けると、前記対象者データ記憶部を参照して認証処理を行う構成であり、受け付けられた前記電子決済ＩＤデータの当選が前記対象者データ記憶部に記録されているか否かを確認し、該当する前記電子決済ＩＤデータが前記対象者データ記憶部に記録されており、かつ、当選が記録されていれば、認証が成功し、前記プレミアム付与許可部は、前記当選認証部による認証が成功すると、プレミアム付与の許可を前記入場管理コンピュータに送信する。
【００１１】
本発明によれば、購入履歴データ記憶部に、顧客が電子決済媒体を使って商品を購入した購入履歴データが記憶される。購入履歴データは電子決済ＩＤデータと購入商品コードを含む。電子決済媒体は典型的には電子マネー媒体（電子マネーカード、電子マネー機能を持った携帯電話等）である。購入履歴データ記憶部の購入履歴データに含まれる購入商品コードとキャンペーン対象商品コード記憶部のキャンペーン対象商品コードとが比較され、キャンペーン対象商品コードと一致する購入商品コードを含む購入履歴データに含まれる電子決済ＩＤデータに対してキャンペーン応募資格データが発生する。そして、キャンペーン応募資格データが電子決済ＩＤデータと関連付けて登録される。このようにして、本発明によれば、顧客は、電子決済媒体を使ってキャンペーン対象商品を購入することによって応募資格を得ることができ、キャンペーンコードの入力等の顧客の手間を削減することができ、キャンペーンに容易に応募できる。
【００１２】
また、本発明のキャンペーン情報処理システムは、前記キャンペーン応募資格発生を通知する応募資格通知メッセージを記憶する応募資格通知メッセージ記憶部と、前記対象者データ記憶部の前記電子決済ＩＤデータおよび前記連絡先データに基づき、キャンペーン応募資格発生登録部で前記キャンペーン応募資格データが発生した前記電子決済ＩＤデータに対応する前記連絡先データを用いて、前記応募資格通知メッセージを前記キャンペーン対象者に送信する応募資格通知部と、を備えてよい。
【００１３】
本発明によれば、キャンペーン対象者の連絡先データと電子決済ＩＤデータが対象者データ記憶部に記憶される。そして、応募資格が発生すると、対象者データ記憶部を利用して、応募資格が発生したキャンペーン対象者の連絡先が特定され、連絡先へ応募資格通知メッセージが送信される。したがって、応募資格が発生したときに、応募資格通知メッセージを自動的にキャンペーン対象者に送信して、迅速に応募資格発生を通知できる。連絡先データは典型的には電子メールアドレスであり、応募資格通知メッセージが記載された電子メールが送信される。
【００１４】
また、本発明のキャンペーン情報処理システムにおいて、前記キャンペーン応募資格発生登録部は、前記キャンペーン対象商品の購入に応じて付与されるべきキャンペーンポイントを規定したポイント規則を記憶するポイント規則記憶部と、前記ポイント規則記憶部の前記ポイント規則に従って、前記キャンペーン対象商品コードに一致する前記購入商品コードを含む購入履歴データに含まれる前記電子決済ＩＤデータに対して付与するキャンペーンポイントを決定するポイント決定部と、前記ポイント決定部により決定されたキャンペーンポイントを前記電子決済ＩＤデータと関連づけて前記対象者データ記憶部に登録するポイント登録部と、前記対象者データ記憶部に記憶されたキャンペーンポイントが所定の応募資格発生ポイントに達したときにキャンペーン応募資格が発生したと判定する資格発生判定部と、前記資格発生判定部の判定結果に応じて、前記キャンペーン応募資格が発生した前記電子決済ＩＤデータと関連づけて前記キャンペーン応募資格データを前記対象者データ記憶部に登録する資格登録部と、を備えてよい。
【００１５】
本発明によれば、キャンペーン対象者がキャンペーン対象商品を購入すると、キャンペーンポイントが本発明のシステム側で蓄積される。そして、システム側で、蓄積したキャンペーンポイントが応募資格発生プレミアムポイントに到達したことが判定されて、応募資格がコンピュータ処理で付与される。このようにして、ポイント蓄積型のキャンペーンのデータ処理を好適に実現でき、顧客は電子決済媒体を使ってキャンペーン対象商品を購入することによって容易にポイントを貯めて応募資格を獲得できる。
【００１６】
また、本発明のキャンペーン情報処理システムは、前記対象キャンペーンへの参加申込者が保持する前記電子決済ＩＤデータの入力を受け付けて、前記参加申込者を前記キャンペーン対象者として前記電子決済ＩＤデータを前記対象者データ記憶部に登録するキャンペーン申込登録処理部と、を含んでよい。この構成により、申込処理によってキャンペーン対象者を登録できる。申込登録では、空メールや申込用ＷＥＢサイトが好適に利用できる。
【００１７】
また、前記ポイント規則記憶部は、前記ポイント規則として、キャンペーン対象商品と前記キャンペーン対象商品の購入によって付与されるキャンペーンポイントの値を記憶してよい。キャンペーン対象商品のデータは、対象メーカを特定するデータでもよく、この場合、対象メーカの商品がキャンペーン対象商品になる。また、前記ポイント規則は、前記キャンペーン対象商品の購入数量または購入金額に応じて付与されるキャンペーンポイントの値を規定してよい。
【００１８】
また、前記対象者データ記憶部が、前記電子決済ＩＤデータと関連づけて、前記キャンペーン対象者の属性データを記憶しており、前記ポイント規則記憶部のポイント規則は、前記キャンペーン対象者の属性に応じてキャンペーンポイントの値が異なって設定されており、前記ポイント決定部は、前記対象者データ記憶部の前記属性データを読み出して、前記属性データに基づいて前記ポイント規則に従って前記キャンペーンポイントを決定してよい。
【００１９】
この構成により、どのような属性のキャンペーン対象者がキャンペーン対象商品を購入したかといった購入主体条件によって、付与するキャンペーンポイントの値を変えることができる。したがって、購入主体条件によって応募資格の発生の条件を変えられる。例えば、キャンペーン対象商品の戦略的ターゲットの属性を持つキャンペーン対象者がキャンペーン対象商品を購入したときに付与するキャンペーンポイントを大きくすることができる。これにより、ターゲットの顧客の購買意欲を増大し、キャンペーン効果を増大できる。
【００２０】
属性の例は性別である。この場合、前記対象者データ記憶部が、前記属性データとして性別データを記憶してよく、前記ポイント規則は、前記キャンペーン対象者の性別に応じてキャンペーンポイントの値が異なって設定されてよい。
【００２１】
また、属性の別の例は年齢である。この場合、前記対象者データ記憶部が、前記属性データとして年齢データを記憶してよく、前記ポイント規則は、前記キャンペーン対象者の年齢に応じてキャンペーンポイントの値が異なって設定されてよい。
【００２２】
また、前記ポイント規則記憶部は、前記ポイント規則として、複数の所定のキャンペーン対象商品の組み合わせに対応する組合せキャンペーンポイントを記憶しており、前記ポイント決定部は、前記ポイント規則に規定される前記複数の所定のキャンペーン対象商品が組み合わせて購入されたときに前記ポイント規則に従って前記組合せキャンペーンポイントの値を求めてよい。
【００２３】
この構成により、どのようなキャンペーン対象商品を組み合わせて購入したかといった購入条件によって、付与するキャンペーンポイントの値を変えることができる。したがって、購入条件によって応募資格の発生の条件を変えられる。商品の組み合わせによってキャンペーンポイントを変えることで、クロスセルを行うことができ、クロスセル効果によってキャンペーン効果を増大できる。
【００２４】
また、前記購入履歴データ記憶部は、前記購入履歴データとしてさらに購入日時データを記憶しており、前記ポイント規則記憶部のポイント規則は、前記キャンペーン対象商品の購入日時に応じてキャンペーンポイントの値が異なって設定されており、前記ポイント決定部は、前記購入履歴データ記憶部の前記購入履歴データの前記購入日時データを読み出して、前記購入日時データに基づいて前記ポイント規則に従って前記キャンペーンポイントを求めてよい。
【００２５】
この構成により、購入日時を購入環境条件として扱い、購入日時に応じて、付与するキャンペーンポイントの値を変えることができる。したがって、購入環境条件によって応募資格の発生の条件を変えられる。戦略的に特定の曜日や時間帯の購入を促進することによってキャンペーン効果を増大できる。
【００２６】
また、前記購入履歴データ記憶部は、前記購入履歴データとしてさらに購入場所データを記憶しており、前記ポイント規則記憶部のポイント規則は、前記キャンペーン対象商品の購入場所に応じてキャンペーンポイントの値が異なって設定されており、前記ポイント決定部は、前記購入履歴データ記憶部の前記購入履歴データの前記購入場所データを読み出して、前記購入場所データに基づいて前記ポイント規則に従って前記キャンペーンポイントを求めてよい。
【００２７】
この構成により、購入場所を購入環境条件として扱い、購入場所に応じて、付与するキャンペーンポイントの値を変えることができる。したがって、購入環境条件によって応募資格の発生の条件を変えられる。戦略的に特定の場所の購入を促進することによってキャンペーン効果を増大できる。
【００２８】
本発明は、上述のキャンペーン情報処理システム以外の態様で表現されてよい。例えば、本発明の別の態様は、プレミアムキャンペーンの応募資格を発生させるデータ処理をコンピュータ上で行うキャンペーン情報処理方法である。この方法では、電子決済媒体を使用した商品購入の履歴のデータとして、各電子決済媒体に固有の電子決済ＩＤデータ及び購入商品の商品コードである購入商品コードを含む購入履歴データを、前記コンピュータの記憶手段で構成される購入履歴データ記憶部が記憶し、対象キャンペーンのキャンペーン対象商品の商品コードであるキャンペーン対象商品コードを、前記コンピュータの記憶手段で構成されるキャンペーン対象商品コード記憶部が記憶し、前記対象キャンペーンのキャンペーン対象者のデータとして、少なくとも各キャンペーン対象者の通信連絡用の連絡先データと各キャンペーン対象者が保有する前記電子決済媒体の前記電子決済ＩＤデータを対象者データ記憶部が記憶し、前記購入履歴データ記憶部の前記購入履歴データに含まれる前記購入商品コードと前記キャンペーン対象商品コード記憶部の前記キャンペーン対象商品コードとを比較して、前記キャンペーン対象商品コードと一致する前記購入商品コードを含む購入履歴データに含まれる前記電子決済ＩＤデータに対応するキャンペーン応募資格を発生し、前記キャンペーン応募資格データを前記電子決済ＩＤデータと関連付けて前記対象者データ記憶部に登録し、前記対象者データ記憶部を参照して、前記キャンペーン応募資格が関連づけて登録されている前記電子決済ＩＤデータを特定し、乱数を用いた抽選を行って、前記キャンペーン応募資格が関連づけられた前記電子決済ＩＤデータから所定の当選者数の前記電子決済ＩＤデータを特定し、前記対象者データ記憶部に抽選結果として、各々の前記電子決済ＩＤデータと関連づけて当選または抽選を記録し、電子決済ＩＤデータ受付部、当選認証部およびプレミアム付与許可部で構成されるプレミアム付与処理部が、前記抽選の当選者に対して、プレミアムを電子的に付与する処理を行い、前記電子決済ＩＤデータ受付部は、入場管理コンピュータで前記電子決済媒体から読み取られた前記電子決済ＩＤデータを通信で該入場管理コンピュータから受信して受け付け、前記当選認証部は、前記電子決済ＩＤデータ受付部が前記電子決済ＩＤデータを受け付けると、前記対象者データ記憶部を参照して認証処理を行う構成であり、受け付けられた前記電子決済ＩＤデータの当選が前記対象者データ記憶部に記録されているか否かを確認し、該当する前記電子決済ＩＤデータが前記対象者データ記憶部に記録されており、かつ、当選が記録されていれば、認証が成功し、前記プレミアム付与許可部は、前記当選認証部による認証が成功すると、プレミアム付与の許可を前記入場管理コンピュータに送信する。この態様によっても本発明の利点が得られる。この態様でも、上述のキャンペーン情報処理装置に関して説明した各種の構成を採用可能であり、各種構成の利点が得られる。
【００２９】
また、本発明の別の態様は、プレミアムキャンペーンの応募資格を発生させるデータ処理をコンピュータに実行させるキャンペーン情報処理プログラムである。このプログラムは、電子決済媒体を使用した商品購入の履歴のデータとして、各電子決済媒体に固有の電子決済ＩＤデータ及び購入商品の商品コードである購入商品コードを含む購入履歴データを、前記コンピュータの記憶手段で構成される購入履歴データ記憶部に記憶させ、対象キャンペーンのキャンペーン対象商品の商品コードであるキャンペーン対象商品コードを、前記コンピュータの記憶手段で構成されるキャンペーン対象商品コード記憶部に記憶させ、前記対象キャンペーンのキャンペーン対象者のデータとして、少なくとも各キャンペーン対象者の通信連絡用の連絡先データと各キャンペーン対象者が保有する前記電子決済媒体の前記電子決済ＩＤデータを対象者データ記憶部が記憶させ、前記購入履歴データ記憶部の前記購入履歴データに含まれる前記購入商品コードと前記キャンペーン対象商品コード記憶部の前記キャンペーン対象商品コードとを比較して、前記キャンペーン対象商品コードと一致する前記購入商品コードを含む購入履歴データに含まれる前記電子決済ＩＤデータに対応するキャンペーン応募資格を発生し、前記キャンペーン応募資格データを前記電子決済ＩＤデータと関連付けて前記対象者データ記憶部に登録し、前記対象者データ記憶部を参照して、前記キャンペーン応募資格が関連づけて登録されている前記電子決済ＩＤデータを特定し、乱数を用いた抽選を行って、前記キャンペーン応募資格が関連づけられた前記電子決済ＩＤデータから所定の当選者数の前記電子決済ＩＤデータを特定し、前記対象者データ記憶部に抽選結果として、各々の前記電子決済ＩＤデータと関連づけて当選または抽選を記録し、電子決済ＩＤデータ受付部、当選認証部およびプレミアム付与許可部で構成されるプレミアム付与処理部が、前記抽選の当選者に対して、プレミアムを電子的に付与する処理を行い、前記電子決済ＩＤデータ受付部は、入場管理コンピュータで前記電子決済媒体から読み取られた前記電子決済ＩＤデータを通信で該入場管理コンピュータから受信して受け付け、前記当選認証部は、前記電子決済ＩＤデータ受付部が前記電子決済ＩＤデータを受け付けると、前記対象者データ記憶部を参照して認証処理を行う構成であり、受け付けられた前記電子決済ＩＤデータの当選が前記対象者データ記憶部に記録されているか否かを確認し、該当する前記電子決済ＩＤデータが前記対象者データ記憶部に記録されており、かつ、当選が記録されていれば、認証が成功し、前記プレミアム付与許可部は、前記当選認証部による認証が成功すると、プレミアム付与の許可を前記入場管理コンピュータに送信する処理を前記コンピュータに実行させる。この態様によっても本発明の利点が得られる。この態様でも、上述のキャンペーン情報処理装置に関して説明した各種の構成を採用可能であり、各種構成の利点が得られる。
【発明の効果】
【００３０】
本発明は、キャンペーンの応募作業のための顧客の手間を削減でき、顧客にとって便利なキャンペーン情報処理システムを提供できる。
【００３１】
本発明は、購入主体や購入環境等の購入条件によって応募資格の発生の条件を変えてキャンペーン効果を増大できるキャンペーン情報処理システムを提供できる。
【発明を実施するための最良の形態】
【００３２】
以下、本発明の実施の形態のキャンペーン情報処理システムについて、図面を用いて説明する。
【００３３】
図１は、本実施の形態に係るキャンペーン情報処理システムを関連構成と共に示している。キャンペーン情報処理システム１は、１または複数のコンピュータで構成されるコンピュータシステムである。
【００３４】
キャンペーン情報処理システム１は、通信機能を有し、ＰＯＳ（Point Of Sales）センタ装置３と接続されており、さらに、ＰＯＳセンタ装置３は小売店のＰＯＳ端末装置５と接続されている。図には１つのＰＯＳ端末装置５が示されているが、実際には複数のＰＯＳ端末装置５がＰＯＳセンタ装置３と通信可能に接続されている。
【００３５】
また、キャンペーン情報処理システム１は、ＷＥＢサーバおよびメールサーバの機能を有しており、インターネット７を経由して、顧客の携帯電話９と接続される。携帯電話７は、顧客Ｃが使用する顧客端末装置の一形態である。顧客端末装置は、携帯電話９に限定されず、例えば、携帯端末またはパーソナルコンピュータでもよい。
【００３６】
顧客Ｃは、携帯電話９と共に、電子マネーカード１１を所持している。顧客は、小売店に行き、電子マネーカード１１を利用して商品を購入する。ＰＯＳ端末装置５は、小売店のレジ装置に備えられており、電子マネー対応機能を有し、電子マネーカード１１にデータの読み書きを行う。
【００３７】
電子マネーカード１１は、本発明の電子決済媒体の一形態である。電子マネーカード１１は、携帯電話７と一体化されてもよい。電子マネー機能を有する携帯電話が、図１の携帯電話７と電子マネーカード１１の両方の機能を果たしてよい。また、本発明の範囲内で、電子決済媒体は、電子マネーカードに限定されない。電子決済媒体は、クレジット決済用の媒体でもよい。また、電子決済媒体は、交通機関の乗車に使われるカードでもよい。
【００３８】
図２は、ＰＯＳセンタ装置３の構成を示している。ＰＯＳセンタ装置３は、ＰＯＳ端末装置５およびキャンペーン情報処理システム１との通信機能を有している。ＰＯＳセンタ装置３は、ＰＯＳデータ取得部２１、購入履歴データ記憶部２３および購入履歴データ提供部２５で構成されている。
【００３９】
ＰＯＳデータ取得部２１は通信機能を利用してＰＯＳ端末装置５からＰＯＳデータを取得する。ＰＯＳ端末装置５は、電子マネーカード１１を用いて商品が購入されたとき、電子マネーカード１１から電子マネー番号を読み取る。電子マネー番号は、各々の電子マネーカード１１に付けられた固有の番号であり、本発明の電子決済ＩＤデータの一形態である。ＰＯＳ端末装置５は、さらに、レジ装置の機能により、購入商品の商品コードを読み取り、そして、電子マネー番号、商品コード、購入日時、購入数、購入金額および購入店舗のデータを含むＰＯＳデータを記録し、さらに、ＰＯＳデータをＰＯＳセンタ装置３に送信する。ＰＯＳ端末装置５では、ＰＯＳデータ取得部２１がＰＯＳデータを取得し、取得したＰＯＳデータを購入履歴データとして購入履歴データ記憶部２３に格納する。
【００４０】
購入履歴データ提供部２５は、サーバ機能を有している。購入履歴データ提供部２５は、キャンペーン情報処理システム１との通信機能を利用して、キャンペーン情報処理システム１から購入履歴データの送信要求を受け取る。そして、キャンペーン情報処理システム１からの送信要求に応えて、購入履歴データ提供部２５は、購入履歴データ記憶部２３から購入履歴データを読み出して、キャンペーン情報処理システム１に送信する。なお、購入履歴データ提供部２５は、キャンペーン情報処理システム１からの送信要求が無くても購入履歴データをキャンペーン情報処理システム１に送信するように構成されてもよい。
【００４１】
本実施の形態では、上述のように、ＰＯＳセンタ装置３が設けられ、ＰＯＳ端末装置５からＰＯＳセンタ装置３を介してキャンペーン情報処理システム１に購入履歴データが提供される。変形例としては、キャンペーン情報処理システム１とＰＯＳ端末装置５が直接接続されてよく、ＰＯＳ端末装置５からキャンペーン情報処理システム１に直接に、ＰＯＳデータが購入履歴データとして送信されてよい。
【００４２】
図３は、キャンペーン情報処理システム１の構成を示している。図３の各々の構成要素および機能は、キャンペーン情報処理システム１のコンピュータがプログラムを実行することにより、コンピュータの記憶手段や処理実行手段および入出力手段により実現される。キャンペーン情報処理システム１の機能はＡＳＰによって実現されてよい。
【００４３】
図示のように、キャンペーン情報処理システム１は、ＰＯＳセンタ装置３から通信で購入履歴データを取得する購入履歴データ取得部３１と、購入履歴データを記憶する購入履歴データ記憶部３３と、対象キャンペーンのキャンペーン対象商品コードを記憶するキャンペーン対象商品コード記憶部３５と、キャンペーン対象者のデータを記憶する対象者データ記憶部３７と、対象キャンペーンへの参加申込を受け付けて対象者データ記憶部３７へキャンペーン対象者を登録するキャンペーン申込登録処理部３９と、購入履歴データ等に基づいてキャンペーン応募資格を発生し登録する機能を有するキャンペーン応募資格発生登録部４１と、応募資格発生を通知する応募資格通知部４３とを備えている。応募資格通知部４３は、応募資格通知メッセージ記憶部４５に記憶された応募資格通知メッセージを送信する。また、応募資格発生だけでなく、ゲーム参加通知などが送信されてもよい。
【００４４】
キャンペーン情報処理システム１は、さらに、応募資格が発生したキャンペーン対象者のために抽選を行う抽選部５１と、抽選結果を登録する抽選結果登録部５３と、抽選結果を通知する抽選結果通知部５５とを備える。抽選結果通知部５５は、抽選結果メッセージ記憶部５７に記憶された抽選結果メッセージを送信する。さらに、キャンペーン情報処理システム１は、当選者に対してプレミアムを付与する処理を行うプレミアム付与処理部６１を備えている。
【００４５】
以下、キャンペーン情報処理システム１の各部構成について説明する。
【００４６】
購入履歴データ取得部３１は、ＰＯＳセンタ装置３の購入履歴データ提供部２５に対して購入履歴データの送信要求を送り、購入履歴データ提供部２５から購入履歴データを受信して、受信した購入履歴データを購入履歴データ記憶部３３に格納する。
【００４７】
図４は、購入履歴データ記憶部３３に記憶される購入履歴データを示している。図示のように、購入履歴データは、購入日時、電子マネー番号、購入商品コード、購入数量、購入金額、購入店舗を含んでいる。購入商品コードは、購入商品の商品コードである。商品コードは、各商品に付けられた固有のコードである。商品コードは、いわゆるＪＡＮコードでもよい。また、商品コードは、ＪＡＮコード以外の適当なコードでもよい。購入店舗は、本発明の購入場所データの一形態である。店舗データは、各店舗に固有な店舗コードである。また、購入履歴データは、上記の各種データに加えて、さらに他のデータを含んでよく、そのようなデータはマーケティングなどに活用されてもよい。
【００４８】
キャンペーン対象商品コード記憶部３５は、対象キャンペーンのキャンペーン対象商品コードを記憶している。キャンペーン対象商品コードは、キャンペーン対象商品の商品コードである。
【００４９】
図５は、キャンペーン対象商品コード記憶部３５の例である。図５の例では、複数の商品がキャンペーン対象商品に指定されており、複数のキャンペーン対象商品コードが記憶されている。しかし、本発明の範囲内で、キャンペーン対象商品は一種類でもよく、この場合には、一つのキャンペーン商品コードが記憶されてよい。
【００５０】
図６は、対象者データ記憶部３７の例を示している。対象者データ記憶部３７は、キャンペーン対象者のデータとして、電子マネーカード番号、電子メールアドレス、性別、年代、居住地域のデータを記憶している。電子メールアドレスはキャンペーン対象者の連絡先データの一形態であり、年代は、キャンペーン対象者の年齢データの一形態である。これらのデータは、キャンペーン申込登録処理部３９により受け付けられて、対象者データ記憶部３７に登録される。キャンペーン申込登録処理部３９は、上記の電子マネー番号等を、対象キャンペーンへの参加申込者である顧客の携帯電話９から受け付ける。
【００５１】
対象者データ記憶部３７は、さらに、キャンペーンの進行に伴って記録されるデータとして、キャンペーンポイント、応募資格および抽選結果のデータを記憶している。キャンペーンポイントは、キャンペーン対象商品が購入されると記録される。応募資格データは、キャンペーン対象商品の購入により応募資格が発生したときに記録される。さらに、抽選結果データは、応募資格が発生してから行われた抽選の結果のデータである。
【００５２】
キャンペーン応募資格発生登録部４１は、概略としては、購入履歴データ記憶部３３の購入履歴データに含まれる購入商品コードとキャンペーン対象商品コード記憶部３５のキャンペーン対象商品コードとを比較して、キャンペーン対象商品コードと一致する購入商品コードを含む購入履歴データに含まれる電子マネー番号に対してキャンペーン応募資格を発生する。より詳細には、キャンペーン応募資格発生登録部４１は、キャンペーン対象商品コードと一致する購入商品コードを検出すると該当する電子マネー番号のためにキャンペーンポイントを蓄積し、キャンペーンポイントが貯まると該当する電子マネー番号のために応募資格を発生させる。そして、キャンペーン応募資格発生登録部４１は、キャンペーン応募資格データを該当する電子マネー番号と関連付けて登録する。キャンペーン応募資格の登録は対象者データ記憶部３７に対して行われる。
【００５３】
図７は、キャンペーン応募資格発生登録部４１の構成を示している。キャンペーン応募資格発生登録部４１は、ポイント規則記憶部７１、ポイント決定部７３、ポイント登録部７５、資格発生判定部７７および資格登録部７９で構成されている。
【００５４】
ポイント規則記憶部７１は、キャンペーン対象商品の購入に応じて付与されるキャンペーンポイントを規定したポイント規則を記憶している。図８は、ポイント規則の例を示している。図８の例では、ポイント規則は、各キャンペーン対象商品の購入により付与されるキャンペーンポイントの値であり、ポイント規則記憶部７１は、キャンペーン対象商品の商品コードと関連づけてキャンペーンポイントを記憶している。図８では、どのキャンペーン対象商品のキャンペーンポイントも同じであるが、キャンペーンポイントは商品によって異なってよい。また、ポイント規則記憶部７１は、キャンペーン対象商品コード記憶部３５と一体化されてもよい。
【００５５】
ポイント決定部７３は、ポイント規則記憶部７１のポイント規則に従って、キャンペーン対象商品コードに一致する購入商品コードを含む購入履歴データに含まれる電子マネー番号に対して付与するキャンペーンポイントを決定する。
【００５６】
より詳細には、ポイント決定部７３は、対象者データ記憶部３７と購買履歴データ記憶部３３を参照し、購買履歴データ記憶部３３から、対象者データ記憶部３７に登録された電子マネー番号を含む購入履歴を特定する。さらに、ポイント決定部７３は、購入履歴データ記憶部３３とキャンペーン対象商品コード記憶部３５を参照し、キャンペーン対象商品コードと一致する購入商品コードを含む購入履歴を特定する。そして、ポイント決定部７３は、購入履歴から、ポイント規則に従ってキャンペーンポイントを決定する。例えば、購入数量がｎ個であれば、ポイント規則に設定されたキャンペーンポイントがｎ倍される。このキャンペーンポイントの付与先は、購入履歴に含まれた電子マネー番号によって特定される。
【００５７】
ポイント登録部７５は、ポイント決定部７３により決定されたキャンペーンポイントをキャンペーン申込登録処理部３９に登録する。キャンペーンポイントは、該当する電子マネー番号と関連づけてキャンペーン申込登録処理部３９に登録される。この登録処理では、新しく決定されたキャンペーンポイントが、既に蓄積されたキャンペーンポイントに加算される。
【００５８】
資格発生判定部７７は、対象者データ記憶部３７に記憶されたキャンペーンポイントが所定の応募資格発生ポイントに達したときに、キャンペーン応募資格が発生したと判定する。応募資格発生ポイントは予め設定されてキャンペーン情報処理システム１に記憶されている。資格発生判定部７７は、対象者データ記憶部３７にキャンペーンポイントが記録されると、蓄積されたキャンペーンポイントを対象者データ記憶部３７から読み出し、キャンペーンポイントが応募資格発生ポイントに達したか否かを判定する。また、資格発生判定部７７は、定期的に上記の判定処理を行ってもよい。
【００５９】
資格登録部７９は、資格発生判定部７７の判定結果に応じて、キャンペーン応募資格データを対象者データ記憶部３７に登録する。キャンペーン応募資格データは、キャンペーン応募資格が発生した電子マネー番号と関連づけて登録される。キャンペーンポイントが蓄積すると、応募資格が複数回発生することになる。この場合には、図６に示されるように、応募資格の数（発生回数、口数）が記録されてよい。
【００６０】
図３に戻り、応募資格通知部４３は、キャンペーン応募資格の発生をキャンペーン対象者に通知する機能を持つ。応募資格通知部４３は、キャンペーン情報処理システム１のメールサーバ機能を利用して通知機能を実現する。
【００６１】
応募資格通知部４３は、対象者データ記憶部３７のデータを参照して、キャンペーン応募資格が発生した電子マネー番号に対応する電子メールアドレスを読み出す。また、応募資格通知部４３は、応募資格通知メッセージ記憶部４５から、キャンペーン応募資格発生を通知する応募資格通知メッセージを読み出す。そして、応募資格通知部４３は、応募資格通知メッセージを記載した電子メールを生成し、対象者データ記憶部３７から読み出した電子メールアドレスに送信する。電子メールアドレスは本発明の連絡先データの一例であり、本発明の範囲内で連絡先データは電子メールアドレスに限定されない。連絡先データは、メッセージを電子的に送ることができれば、電子メールアドレス以外のデータでもよい。
【００６２】
好ましくは、応募資格通知部４３は、応募資格の発生をキャンペーン応募資格発生登録部４１から伝えられる。このとき、応募資格が発生した電子マネー番号が伝えられてよい。そして、応募資格通知部４３は、電子マネー番号の通知を受け付けると、上記のようにして、通知された電子マネー番号に対応する電子メールアドレスへ電子メールを送信する。これにより、応募資格が発生と同時に直ちに通知される。
【００６３】
また、上記の応募資格の通知処理は、適当な間隔をおいて定期的に行われてもよい。この場合も、通知処理の間隔を短く設定することが好ましく、これにより資格発生が迅速に通知される。
【００６４】
抽選部５１は、応募資格が発生したキャンペーン対象者のために抽選を行う。例えば、抽選部５１は、下記のようにして定期的に抽選を行う。抽選部５１は、抽選タイミングが到来すると、対象者データ記憶部３７を参照して、応募資格が発生している電子マネー番号を特定する。抽選部５１は、乱数を用いた抽選を行って、応募資格を持つ電子マネー番号から、所定の当選者数の電子マネー番号を特定する。
【００６５】
抽選結果登録部５３は、対象者データ記憶部３７に抽選結果を登録する。各々の電子マネー番号と関連づけて、当選または落選が記録される。
【００６６】
抽選結果通知部５５は、抽選結果メッセージを送信する。抽選結果メッセージは、抽選結果メッセージ記憶部５７に記憶されている。抽選結果メッセージ記憶部５７は、当選者への抽選結果メッセージと落選者への抽選結果メッセージを記憶している。
【００６７】
抽選結果通知部５５は、当選が登録された電子マネー番号に対応する電子メールアドレスを対象者データ記憶部３７から読み出し、当選者への抽選結果メッセージを記載した電子メールを生成および送信する。同様に、抽選結果通知部５５は、落選が登録された電子マネー番号に対応する電子メールアドレスを対象者データ記憶部３７から読み出し、落選者への抽選結果メッセージを記載した電子メールを生成および送信する。
【００６８】
プレミアム付与処理部６１は、抽選部５１による抽選の当選者に対してプレミアムを付与する処理を行う。
【００６９】
図９は、プレミアム付与処理部６１の構成例を示している。図９の例では、プレミアムが電子的に付与される。ここでは、例として、プレミアムが映画のチケットであるとする。
【００７０】
プレミアム付与処理部６１は、電子マネー番号受付部８１、当選認証部８３およびプレミアム付与許可部８５で構成されている。電子マネー番号受付部８１は、映画館の入場管理コンピュータ８７から通信で電子マネー番号を受信して受け付ける。
【００７１】
入場管理コンピュータ８７は、映画館に設置されており、顧客の電子マネーカード１１から電子マネー番号を読み取って、キャンペーン情報処理システム１に送信する。電子マネー番号受付部８１が電子マネー番号を受け付けると、当選認証部８３は、対象者データ記憶部３７を参照して認証処理を行う。当選認証部８３は、受け付けられた電子マネー番号の当選が対象者データ記憶部３７に記録されているか否かを確認する。落選が記録されていれば、認証が失敗に終わる。また、受け付けられた電子マネー番号が対象者データ記憶部３７に登録されていない場合も、認証が失敗に終わる。該当する電子マネー番号が対象者データ記憶部３７に記録されており、かつ、当選が記録されていれば、認証が成功する。認証が成功すると、プレミアム付与許可部８５が、プレミアム付与の許可を入場管理コンピュータ８７に送信する。これにより、映画館では、顧客の映画館への入場が許可される。
【００７２】
ここで、従来一般には、電子チケットを提供するシステムでは、電子チケットデータが媒体に書き込まれる。これに対して、上記の例では、電子マネー番号を使った認証により、プレミアムが付与されている。当選通知の際に携帯電話９との通信により電子チケットデータを携帯電話９内に記録するといった処理が不要である。したがって、プレミアムを容易に提供できる。
【００７３】
図９では、電子マネー番号が入場管理コンピュータ８７からキャンペーン情報処理システム１に送信された。別の例では、当選者の電子マネー番号が、入場管理コンピュータ８７に送られ、入場管理コンピュータ８７で認証処理が行われてもよい。入場管理コンピュータ８７は、受信した電子マネー番号を記憶し、電子マネーカード１１から電子マネー番号を読み取って、記憶された電子マネー番号と照合する。この構成では、入場管理コンピュータ８７がキャンペーン付与処理部として機能し、キャンペーン情報処理システム１の一部を構成している。
【００７４】
以上に、本実施の形態の各部構成を説明した。次に、本実施の形態のキャンペーン情報処理システム１の動作を説明する。ここでは、顧客Ｃがキャンペーンに参加する場合を例として取り上げる。
【００７５】
顧客Ｃは、キャンペーンに参加するときは、キャンペーン情報処理システム１に対して参加申込の登録を行う。この参加申込は、下記のように、キャンペーン情報処理システム１のＷＥＢサーバ機能を利用して、キャンペーン申込登録処理部３９により受け付けられ、対象者データ記憶部３７に登録される。
【００７６】
図１０は、キャンペーン申込登録処理部３９の処理を示している。図１０は、顧客Ｃの携帯電話９の画面の図である。顧客Ｃは、携帯電話９を使って、キャンペーン申込用のメールアドレスへ空メールを送信する。空メールは、タイトルおよび本文が記載されていないメールである。キャンペーン申込登録処理部３９は、メールサーバ機能を利用して、参加申込者である顧客Ｃの携帯電話９から空メールを受信する（Ｓ１）。
【００７７】
キャンペーン申込登録処理部３９は、空メールを受信すると、キャンペーン登録ＵＲＬを記載したキャンペーン登録メールを携帯電話９に返信する（Ｓ３）。キャンペーン登録ＵＲＬは、受信されたメールアドレス毎に異なって設定される。携帯電話９がキャンペーン登録メールのキャンペーン登録ＵＲＬにアクセスすると、キャンペーン申込登録処理部３９はＷＥＢサーバ機能を利用して、電子マネー番号の入力を受け付け（Ｓ５）、さらに、性別、年代および居住地域の入力を受け付ける（Ｓ７）。そして、キャンペーン申込登録処理部３９は、電子マネーカード番号、電子メールアドレス、性別、年代、居住地域を対象者データ記憶部３７に登録する。登録処理が完了すると、キャンペーン申込登録処理部３９は、登録完了のメッセージを携帯電話９に送信する（Ｓ９）。
【００７８】
顧客Ｃが、電子マネーカード１１を使って店舗で商品を購入すると、ＰＯＳ端末装置５が電子マネーカード１１から電子マネー番号を読み取り、ＰＯＳデータをＰＯＳセンタ装置３へ送信する。ＰＯＳデータは、電子マネー番号、商品コード、購入日時、購入数、購入金額および購入店舗のデータを含む。ＰＯＳデータは、ＰＯＳ端末装置５にてＰＯＳデータ取得部２１により購入履歴データ記憶部２３に購入履歴データとして格納される。
【００７９】
キャンペーン情報処理システム１では、購入履歴データ取得部３１がＰＯＳセンタ装置３から購入履歴データを取得する。購入履歴データ取得部３１は、ＰＯＳセンタ装置３の購入履歴データ提供部２５に購入履歴の送信を要求する。購入履歴データ提供部２５は、送信要求に応答して、購入履歴データ記憶部２３から購入履歴データを読み出してキャンペーン情報処理システム１に送信する。そして、購入履歴データは、購入履歴データ取得部３１に取得されて、購入履歴データ記憶部３３に格納される。
【００８０】
顧客Ｃがキャンペーン対象商品を購入した場合、キャンペーン対象商品の購入履歴が取得されて購入履歴データ記憶部３３に格納される。この場合、下記のようにして、キャンペーン応募資格発生登録部４１が、キャンペーンポイントを対象者データ記憶部３７に記録する。
【００８１】
キャンペーン応募資格発生登録部４１は、購入履歴データ記憶部３３の購入履歴データの電子マネー番号と、対象者データ記憶部３７のキャンペーン対象者の電子マネー番号とから、キャンペーン対象者の電子マネー番号を含んだ購入履歴を特定する。そして、ポイント決定部７３が、対象者データ記憶部３７に登録された電子マネー番号を含む購入履歴から、上記の如くキャンペーンポイントを決定する。ポイント決定部７３は、購入履歴データ記憶部３３の購入商品コードとキャンペーン対象商品コード記憶部３５のキャンペーン対象商品コードとを比較し、キャンペーン対象商品コードと一致する購入商品コードを含む購入履歴を特定する。そして、ポイント決定部７３は、購入履歴から、ポイント規則に従ってキャンペーンポイントを決定する。
【００８２】
ポイント登録部７５は、キャンペーンポイントをキャンペーン申込登録処理部３９に登録する。キャンペーンポイントは、該当する電子マネー番号のキャンペーンポイントに加算される。
【００８３】
顧客Ｃが、キャンペーン対象商品を購入するたびに、対象者データ記憶部３７では、顧客Ｃが保有する電子マネーカードの電子マネー番号のキャンペーンポイントが増えていく。キャンペーンポイントが蓄積された結果、キャンペーンポイントが応募資格発生ポイントに達したとする。
【００８４】
キャンペーン応募資格発生登録部４１の資格発生判定部７７は、キャンペーンポイントが応募資格発生ポイントに達すると、応募資格が発生したと判定する。応募資格が発生すると、資格登録部７９が、キャンペーン応募資格データを対象者データ記憶部３７に登録する。さらに、応募資格通知部４３は、キャンペーン応募資格の発生をキャンペーン対象者に通知する。応募資格通知部４３は、応募資格通知メッセージ記憶部４５から応募資格通知メッセージを読み出して、該当電子マネー番号と関連付けて対象者データ記憶部３７に記憶された電子メールアドレスへ応募資格通知メッセージを送信する。
【００８５】
このようにして、顧客Ｃは、キャンペーン参加申込の後に、キャンペーン対象商品を購入するだけで、商品購入時に特に応募作業を行わなくても、自動的にキャンペーン応募手続を行うことができ、応募資格が発生するとそのメッセージを受けられる。したがって、キャンペーンの応募作業の手間を削減でき、顧客の利便性を向上できる。
【００８６】
しかも、本実施の形態では、上記の過程で氏名、住所等の登録が不要であり、個人情報の流通を極力抑えられている。ただし、本発明の範囲内で、マーケッティング等の目的のため、セキュリティを確保した上で、顧客の更なる情報が入手されてもよい。
【００８７】
また、本実施の形態によれば、メーカ側も、電子マネーカードのような電子決済媒体の使用と連動して、自分のメーカの商品のキャンペーンを実施することができる。したがって、メーカにとっても有利なシステムを提供できる。
【００８８】
次に、応募資格が発生した後の抽選処理について説明する。抽選処理は抽選部５１により行われる。抽選部５１は、応募資格データが登録された電子マネー番号を特定し、特定した電子マネー番号を対象として抽選を行う。そして、抽選結果登録部５３により抽選結果が対象者データ記憶部３７に登録されて、抽選結果が抽選結果通知部５５により通知される。
【００８９】
抽選結果通知部５５は、当選者および落選者に、対象者データ記憶部３７の電子メールアドレスを利用して、抽選結果メッセージ記憶部５７に記憶された抽選結果メッセージを送信する。本実施の形態の例では、当選者には、映画のチケットがプレミアムとして提供される。当選者のメッセージは、映画のタイトルと映画館とチケット利用法を含む。本実施の形態では、チケット利用法としては、映画館での電子マネーカード１１の提示が求められる。
【００９０】
顧客Ｃが抽選に当選したとする。顧客Ｃは、メッセージに従って映画館に行き、入場管理コンピュータ８７に電子マネー番号１１の電子マネー番号を読み取らせる。電子マネー番号がキャンペーン情報処理システム１に送信されて、プレミアム付与処理部６１の電子マネー番号受付部８１に受け付けられる。当選認証部８３が、受け付けられた電子マネー番号の認証を行う。ここでは、該当する電子マネー番号の当選の有無が、対象者データ記憶部３７を参照して確認される。該当する電子マネー番号が当選していると、許可通知がプレミアム付与許可部８５から入場管理コンピュータ８７に送信される。これにより、顧客Ｃの入場が許可される。
【００９１】
このようにして、本実施の形態では、プレミアムの付与も、電子マネーカード１１を利用して簡単に受けることができ、便利である。
【００９２】
この過程でも、氏名、住所等の登録が不要であり、個人情報の流通が極力抑えられている。ただし、本発明の範囲内で、マーケッティング等の目的のため、セキュリティを確保した上で、顧客の情報が入手されてよい。
【００９３】
以上に、本実施の形態に係るキャンペーン情報処理システム１の動作を説明した。次に、本実施の形態の変形例および応用例を説明する。
【００９４】
「プレミアム付与」
上述の実施の形態では、プレミアムが電子的に顧客Ｃに提供された。これに対して、プレミアムは、物品であってよく、顧客に郵便等で送られてもよい。例えば、当選者にメッセージが送信されるとき、当選者用ＵＲＬがメッセージに含められる。当選者用ＵＲＬに顧客Ｃの携帯電話９がアクセスすると、ＷＥＢページ上で住所、氏名、電話番号の入力が要求される。これら情報がキャンペーン情報処理システム１に受け付けられて、キャンペーン情報処理システム１は、顧客Ｃへプレミアム商品を発送するための処理を行う。
【００９５】
また別の例では、当選のメッセージと共に、商品の受渡場所や時間等の受渡方法のメッセージが提供されてもよい。このメッセージも、当選者用ＵＲＬのＷＥＢページ上で表示されてよい。受渡場所では、上述のチケットと同様に、電子マネー番号を使って当選者が認証されてよい。
【００９６】
「購入履歴データ取得」
本実施の形態では、購入履歴データが、図１のＰＯＳセンタ装置３からキャンペーン情報処理システム１に送信された。しかし、購入履歴データは、ＰＯＳセンタ装置３からキャンペーン情報処理システム１に送信されなくてもよい。この場合、ＰＯＳセンタ装置３の購入履歴データが、上述の内部の購入履歴データ記憶部３３の購入履歴データと同様に利用されて、キャンペーン購入商品の購入が判定される。この例では、ＰＯＳセンタ装置３がキャンペーン情報処理システム１の一部として機能する。この例に見られるように、キャンペーン情報処理システム１の構成は複数箇所に分散していてもよい。
【００９７】
また、購入履歴データ取得部３１が、対象者データ記憶部３７に記憶されたキャンペーン対象者の電子マネー番号の購入履歴データのみをＰＯＳセンタ装置３から取得して購入履歴データ記憶部３３に格納するように構成されてもよい。
【００９８】
「ポイント規則」
前述の図８の例では、ポイント規則は、キャンペーン対象商品の購入数量に応じて付与されるキャンペーンポイントの値であった。より具体的には、ポイント規則は、キャンペーン対象商品を１つ購入すると付与されるキャンペーンポイントであった。ポイント規則としては、さらに、下記の例示するような各種の規則を適用可能である。
【００９９】
（１）図１１は、ポイント規則の別の例を示している。図１１では、ポイント規則が、購入金額とキャンペーンポイントのテーブルである。このように、ポイント規則が、キャンペーン対象商品の購入金額に応じて付与されるキャンペーンポイントの値でもよい。
【０１００】
（２）図１２は、ポイント規則の別の例を示している。図１２は、図８と同様に、キャンペーン対象商品を１つ購入したときのキャンペーンポイントのテーブルである。ただし、図１２では、キャンペーンポイントの値が、キャンペーン対象者の属性によって異なっている。具体的には、女性２０代のポイントが、その他の属性の２倍に設定されている。
【０１０１】
図１２のポイント規則を適用する場合、ポイント決定部７３は、該当電子マネー番号のキャンペーンポイントを決定するときに対象者データ記憶部３７の性別データと年代データを参照し、性別と年代に応じてキャンペーンポイントを決定する。
【０１０２】
より詳細には、キャンペーン対象商品コード記憶部３５と購入履歴データ記憶部３３を比較して、キャンペーン対象商品コードと一致する購入商品コードを含む購入履歴が特定される。そして、特定された購入履歴の電子マネー番号が対象者データ記憶部３７から検索され、該当電子マネー番号に対応する性別データと年代データが参照される。そして、性別と年代に応じたキャンペーンポイントが、図１２のポイント規則から求められる。性別が女性で年代が２０代であれば、他の属性の２倍のキャンペーンポイントが対象者データ記憶部３７に記録される。
【０１０３】
このようにして、本実施の形態では、ポイント規則が、キャンペーン対象者の属性に応じてキャンペーンポイントの値が異なるように設定される。ポイント規則は、マーケッティング上の戦略ターゲットの属性のキャンペーンポイントが他の属性のキャンペーンポイントより大きくなるように設定されてよい。これにより、戦略ターゲットに与えるキャンペーンポイントを大きくできる。そして、戦略ターゲットを意図的に活性化するキャンペーンが可能になり、キャンペーン効果を増大できる。
【０１０４】
上記の性別および年齢は属性の例である。属性は、上記に限定されない。また、性別および年齢の両方が使われなくてもよい。すなわち、性別および年齢の一方に応じてキャンペーンポイントが異なっていてもよい。
【０１０５】
（３）図１３は、ポイント規則の別の例を示している。図１３では、ポイント規則として、複数の所定のキャンペーン対象商品の組み合わせに対応する組合せキャンペーンポイントが設定されている。
【０１０６】
具体的には、商品Ａ単独のキャンペーンポイントは１ポイントである。また、商品Ｂ単独のキャンペーンポイントも１ポイントである。これに対して、商品Ａ、Ｂの組合せのキャンペーンポイントは４ポイント（２倍）である。図示されないが、同じ商品Ａ、Ａの組み合わせも設定可能である。例えば、商品Ａを２つに対して３ポイントが設定される。
【０１０７】
また、商品Ｃ単独のキャンペーンポイントは１ポイントである。図示されないが、商品Ｄ単独のキャンペーンポイントは０ポイントである。これに対して、商品Ｃ、Ｄの組合せのキャンペーンポイントは２ポイント（２倍）である。
【０１０８】
図１３のポイント規則を適用する場合、ポイント決定部７３は、該当電子マネー番号のキャンペーンポイントを決定するときに、購入履歴の購入商品コードを参照し、上記の複数商品が組み合わせて購入されたときは、ポイント規則に従って組合せキャンペーンポイントを付与する。
【０１０９】
例えば、顧客が商品Ａ、Ｂを購入したとする。この商品Ａ、Ｂの購入履歴が同時に購入履歴データ記憶部３３に記録される。ポイント決定部７３は、購入履歴データから、商品Ａ、Ｂが組み合せて購入されたことを検出する。そして、ポイント決定部７３は、図１３のポイント規則を参照し、商品Ａ、Ｂの組合せキャンペーンポイントである４ポイントを求める。この４ポイントが、該当電子マネー番号の蓄積ポイントに加算される。
【０１１０】
このようにして、本実施の形態では、ポイント規則が、商品の組合せに応じてキャンペーンポイントの値が異なるように設定される。マーケッティング上の戦術であるクロスセルを意図的に活性化するキャンペーンが可能になり、キャンペーン効果を増大できる。
【０１１１】
マーケッティングでは、クロスセルと共にアップセルも戦術として有効である。クロスセルが、複数種類の商品を組合せての購入を促進するのに対して、アップセルは、よりグレードの高い商品の購入を促進する。アップセルも本実施の形態のポイント規則の設定によって実現できる。例えば、商品のグレードが高くなる程大きなキャンペーンポイントが設定される。グレードアップによる価格の増大幅よりもキャンペーンポイントの増大幅が大きく設定されてよい。これにより、アップセルを推進して、キャンペーン効果を増大できる。
【０１１２】
（４）図１４は、図１２のポイント規則の応用例である。図１４では、商品とキャンペーン対象者の属性との組み合わせによって、キャンペーンポイントが異なって設定されている。
【０１１３】
図１４では、キャンペーン対象商品として、飲料Ａと飲料Ｂが設定されている。飲料Ａについては、属性が女性、２０代の場合に、２ポイントが与えられる。他の属性の場合には１ポイントが与えられる。
【０１１４】
また、飲料Ｂについては、属性が女性、３０代の場合に、２ポイントが与えられる。他の属性の場合には１ポイントが与えられる。
【０１１５】
図１４のポイント規則を適用する場合、ポイント決定部７３は、該当電子マネー番号のキャンペーンポイントを決定するときに、購入履歴の購入商品コードを参照し、対象者データ記憶部３７の性別データと年代データを参照する。そして、ポイント決定部７３は、購入商品と性別および年代の組み合わせに応じて、ポイント規則に従ってキャンペーンポイントを決定する。
【０１１６】
このようにして、本実施の形態では、ポイント規則が、商品の種類とキャンペーン対象者の属性に応じてキャンペーンポイントの値が異なるように設定される。これにより、ターゲットに合わせたマルチブランド展開を活性化できる。上記の例において、飲料Ａ、Ｂの両方が一つのメーカＸにより提供されるとする。この場合に、メーカＸは、女性２０代向け飲料Ａと女性３０代向け飲料Ｂの両方の販売を促進して、メーカＸのマルチブランド展開を促進して、より大きなキャンペーン効果が得られる。
【０１１７】
（５）図１５は、ポイント規則の別の例を示している。図１５では、購入日時に応じてキャンペーンポイントの値が異なって設定されている。
【０１１８】
より詳細には、図１５では、属性と購入日に応じてキャンペーンポイントが異なっている。属性が、女性２０代であり、購入日が水曜日のときに、キャンペーンポイントが２ポイント（２倍）である（なお、曜日は、日付けと一対一で対応するので、本明細書では日時の一種である）。属性または購入日が異なる場合、キャンペーンポイントは１ポイントである。
【０１１９】
図１５のポイント規則が適用される場合、ポイント決定部７３は、キャンペーンポイントを決定するときに、購入履歴データ記憶部３３の購入履歴の購入日時データを参照し、さらに、対象者データ記憶部３７の性別データおよび年代データを参照し、購入日時データと性別データと年代データに基づいてポイント規則に従ってキャンペーンポイントを決定する。購入日時と性別と年代に対応するキャンペーンポイントが図１５のテーブルから求められる。
【０１２０】
このようにして、本実施の形態によれば、購入日時によってキャンペーンポイントを変えられる。戦略的に販売を促進したい日時のキャンペーンポイントが、他の日時のキャンペーンポイントより大きく設定されてよい。これによりキャンペーン効果を増大できる。
【０１２１】
また、本実施の形態では、購入日時に加えて属性に応じてキャンペーンポイントが異なっている。これにより、ある属性（例えば女性２０代）の人がある日時（例えば水曜日）にキャンペーン対象商品を購入した場合にポイントが多く貯まる。例えば「レディースデイ」といったように、これまでのプレミアムキャンペーンには見られないキャンペーン展開も可能になる。
【０１２２】
なお、上記の例では、具体的には、購入日によってキャンペーンポイントが異なっていた。キャンペーンポイントは、購入時間帯によって異なってもよい。また、キャンペーンポイントは、購入日と購入時間の両方によって異なってもよい。これらは、すべて、本発明における購入日時に応じて異なったキャンペーンポイントの設定に含まれる。
【０１２３】
（６）図１６は、ポイント規則の別の例を示している。図１６のポイント規則では、購入場所に応じてキャンペーンポイントの値が異なって設定されている。より詳細には、図１６では、属性と購入場所に応じてキャンペーンポイントが異なっている。購入場所は、購入店舗で特定されている。購入店舗データは購入店舗のコードであり、購入履歴データにも含まれている。
【０１２４】
図１６のポイント規則が適用される場合、ポイント決定部７３は、キャンペーンポイントを決定するときに、対象者データ記憶部３７の性別データおよび年代データを参照し、また、購入履歴データ記憶部３３の購入履歴の購入店舗データを参照し、購入場所と属性（性別、年齢）に基づいてポイント規則に従ってキャンペーンポイントを決定する。
【０１２５】
このようにして、本実施の形態によれば、購入場所によってキャンペーンポイントを変えられる。戦略的にキャンペーンポイントを異ならせて、キャンペーン効果の増大を図れる。
【０１２６】
本実施の形態では、さらに、購入場所に加えて属性に応じてキャンペーンポイントが異なっている。これにより、ある属性の人がある場所でキャンペーン対象商品を購入した場合にポイントが多く貯まることになり、ここでも、これまでのプレミアムキャンペーンには見られないキャンペーン展開が可能になる。
【０１２７】
図１６では、購入場所が、購入店舗を指定することによって特定された。指定される購入店舗は、地理的に特定の地区の店舗でもよい。また、購入店舗は、特定の流通機関（例えば店舗チェーン）の店舗でもよい。
【０１２８】
購入場所のデータが、購入店舗以外のデータでもよい。購入場所が、直接、購入地区コードまたは流通機関コードによって表されてよい。この場合には、購入履歴データにも購入地区コードまたは流通機関コードを含むことが好適である。
【０１２９】
以上にポイント規則の各種の例を説明した。さらに他のポイント規則も適用可能である。例えば、上述の複数のポイント規則が適当に複合されてよい。より詳細には、上述では、属性、商品又は商品組合せ、日時、場所といった複数種類の要素が提示された。これら要素が適当に複合されてよい。
【０１３０】
反対に、上記の複合的なポイント規則の一部が採用されてもよい。例えば、図１５のポイント規則から属性の要素が削除されて、購入日時によってキャンペーンポイントが決定されてよい。同様に、図１６のポイント規則から属性の要素が削除されて、購入場所に対応するキャンペーンポイントが設定されてよい。
【０１３１】
本実施の形態のさらなる変形例としては、キャンペーン情報処理システム１が商品情報データベースを備えてよい。商品情報データベースは、商品コードに加えて、各種の商品分類コードを含んでよい。商品情報データベースは、商品価格等の商品スペックを含んでよい。商品情報は、マーケッティング等の用途に利用されてよい。
【０１３２】
また、上記の説明では、商品コードは、例えばＪＡＮコードであった。商品コードは、商品を特定できれば、その他のコードでもよい。例えば、メーカを特定するコードが、商品コードとして扱われてよい。この場合、キャンペーン対象商品コード記憶部は、キャンペーン対象商品コードとして、メーカを特定するコードを記憶する。そして、該当するメーカの商品が、キャンペーン対象商品になる。その他の構成でも、メーカのコードが商品を特定するコードとして扱われてよい。ポイント規則などでも、メーカのコードが、商品コードとして扱われてよい。
【０１３３】
また、本実施の形態では、応募資格が発生した後に、抽選が行われた。しかし、抽選は行われなくてもよい。この場合、応募資格が発生した全員（全電子マネー番号）に対して、（漏れなく）プレミアムが付与される。
【０１３４】
本実施の形態では、ポイントが蓄積されて、ポイントが所定値に達すると応募資格が発生した。しかし、本発明の範囲内には、ポイントを使わないシステムも含まれてよい。この場合、商品を買うたびに、１口の応募資格が発生してよい。
【０１３５】
また、本実施の形態では、応募資格が発生したときに、応募資格通知部４３により応募資格通知メッセージが送信され、その後、抽選が行われ、抽選結果通知部５５により抽選結果メッセージが送信された。しかし、本発明はこれに限定されない。変形例としては、応募資格通知メッセージは送信されなくてもよい。図３において、応募資格通知部４３および応募資格通知メッセージ記憶部４５が削除されてもよい。応募資格通知メッセージを送ることなく、自動的に抽選が実施され、抽選結果通知メッセージが送信されてよい。抽選結果通知メッセージは当選者のみに送信されてよい。また、この場合に、応募資格の発生と同時に抽選が行われてよく、抽選結果が直ちに通知されてもよい。
【０１３６】
その他にも、本発明は上述の実施の形態に限定されず、当業者が本発明の範囲内で上述の実施の形態を変形可能なことはもちろんである。
【産業上の利用可能性】
【０１３７】
以上のように、本発明は、プレミアムキャンペーンの応募資格を発生させるデータ処理を行ってキャンペーン実施を支援する情報処理システムとして有用である。
【図面の簡単な説明】
【０１３８】
【図１】本発明の実施の形態に係るキャンペーン情報処理システムを関連構成と共に示す図である。
【図２】ＰＯＳセンタ装置の構成を示すブロック図である。
【図３】キャンペーン情報処理システムの構成を示すブロック図である。
【図４】購入履歴データ記憶部の購入履歴データを示す図である。
【図５】キャンペーン対象商品コード記憶部を示す図である。
【図６】対象者データ記憶部の対象者データを示す図である。
【図７】キャンペーン応募資格発生登録部の構成を示すブロック図である。
【図８】ポイント規則を示す図である。
【図９】プレミアム付与処理部の構成を示すブロック図である。
【図１０】キャンペーンの申込登録処理を示す図である。
【図１１】ポイント規則の別の例を示す図である。
【図１２】ポイント規則の別の例を示す図である。
【図１３】ポイント規則の別の例を示す図である。
【図１４】ポイント規則の別の例を示す図である。
【図１５】ポイント規則の別の例を示す図である。
【図１６】ポイント規則の別の例を示す図である。
【符号の説明】
【０１３９】
１  キャンペーン情報処理システム
３  ＰＯＳセンタ装置
５  ＰＯＳ端末装置
７  インターネット
９  携帯電話
１１  電子マネーカード
２１  ＰＯＳデータ取得部
２３  購入履歴データ記憶部
２５  購入履歴データ提供部
３１  購入履歴データ取得部
３３  購入履歴データ記憶部
３５  キャンペーン対象商品コード記憶部
３７  対象者データ記憶部
３９  キャンペーン申込登録処理部
４１  キャンペーン応募資格発生登録部
４３  応募資格通知部
４５  応募資格通知メッセージ記憶部
５１  抽選部
５３  抽選結果登録部
５５  抽選結果通知部
５７  抽選結果メッセージ記憶部
６１  プレミアム付与処理部
７１  ポイント規則記憶部
７３  ポイント決定部
７５  ポイント登録部
７７  資格発生判定部
７９  資格登録部
８１  電子マネー番号受付部
８３  当選認証部
８５  プレミアム付与許可部
【図１】
0004464379.tif 000002
【図２】
0004464379.tif 000003
【図３】
0004464379.tif 000004
【図４】
0004464379.tif 000005
【図５】
0004464379.tif 000006
【図６】
0004464379.tif 000007
【図７】
0004464379.tif 000008
【図８】
0004464379.tif 000009
【図９】
0004464379.tif 000010
【図１０】
0004464379.tif 000011
【図１１】
0004464379.tif 000012
【図１２】
0004464379.tif 000013
【図１３】
0004464379.tif 000014
【図１４】
0004464379.tif 000015
【図１５】
0004464379.tif 000016
【図１６】
0004464379.tif 000017